(57)【要約】【課題】ネットワークのトラフィック量が増大することなく、照明負荷の異常状態などの特殊データをリアルタイムに表示させることのできる照明制御監視システムを提供する。【解決手段】照明制御監視システム１は、照明負荷の状態データとプログラムにて予め設定された特殊データとを対比して前記状態データ内に特殊データが含まれているときに当該特殊データを第１の通信手段２８から汎用ネットワーク８に能動的に送信させるように制御する第１の制御手段２９を有する監視装置５と、第２の通信手段３０が前記汎用ネットワーク８から前記特殊データを受信したときに当該特殊データを表示手段３２に能動的に表示させるように制御する第２の制御手段３４を有するクライアント６を具備する。【選択図】図１
2006155975.tif 000002
【特許請求の範囲】
【請求項１】
照明負荷を調光制御する調光器と；
照明負荷の制御および監視を行う操作装置と；
調光器から送出された照明負荷の状態データを受信する受信手段、前記状態データを記憶する第１の記憶手段、所定の通信プロトコルに基づいてデータ伝送を行う汎用ネットワークとの間でデータ送受信を行う第１の通信手段および受信手段が受信した前記状態データを第１の記憶手段に記憶させるとともに、前記状態データとプログラムにて予め設定された特殊データとを対比して前記状態データ内に特殊データが含まれているときに当該特殊データを第１の通信手段から汎用ネットワークに能動的に送信させるように制御する第１の制御手段を有し、汎用ネットワークを介して操作装置との間で通信できるように構成された監視装置と；
前記汎用ネットワークとの間でデータ送受信を行う第２の通信手段、前記状態データを表示可能な表示手段および第２の通信手段が前記汎用ネットワークから前記特殊データを受信したときに当該特殊データを表示手段に能動的に表示させるように制御する第２の制御手段を有するクライアントと；
を具備していることを特徴とする照明制御監視システム。
【請求項２】
監視装置は、プログラムを格納する第２の記憶手段を有し、操作装置およびクライアントより前記特殊データを汎用ネットワークに能動的に送信させるように制御する専用のプログラムがダウンロードされ、当該プログラムを第２の記憶手段に記憶することを特徴とする請求項１記載の照明制御監視システム。
【発明の詳細な説明】
【技術分野】
【０００１】
本発明は、照明負荷の制御および監視を行う照明制御監視システムに関する。
【背景技術】
【０００２】
ネットワークを介して監視区域における負荷機器の状態等の情報を監視する監視システムが提案されている。例えば、監視カメラを用いて作業者などの行動を監視するとともに、当該機器の状態等の情報を監視する監視システムが提案されている（特許文献１参照。）。この従来技術の監視システムは、監視区域内に設けられたＷｅｂサーバ機能を有する複数の機器のＷｅｂサーバにアクセスして情報を取得すると共に、当該情報を監視区域内に設けられた記憶装置に記録するＷｅｂサーバ機能を有するローカルサーバを有している。そして、監視室に設けられた監視端末から汎用ブラウザを用いてローカルサーバのＷｅｂサーバにアクセスして情報を取得するか若しくは記憶装置に記録された情報を取得するように構成されている。
【０００３】
また、街灯切れを管理機関で自動的かつ迅速に把握できるようにした街灯監視システムが提案されている（特許文献２参照。）。この従来技術の街灯監視システムは、街灯設置場所毎に設けたモジュールで街灯切れの有無が検出される。そして、当該情報は、一旦データメモリに格納された後、ネットワークシステムを介してモジュールのＩＤとともに管理機関装置に送信される。そして、管理機関装置は、モジュールからの情報を受信すると、当該情報をデータベースに順次格納するとともに、街灯切れ情報があれば、この情報を操作表示部に表示してオペレータに街灯切れの発生を知らせるように構成されている。
【特許文献１】特開２００２−１５８９９５号公報（第４−５頁、第１図）
【特許文献２】特開２００４−１４２１０号公報（第４頁、第１図）
【発明の開示】
【発明が解決しようとする課題】
【０００４】
特許文献１の監視システムは、監視端末から汎用ブラウザを用いてローカルサーバのＷｅｂサーバにアクセスして情報を取得するので、機器の異常状態の情報をリアルタイムに入手できないという欠点を有する。
【０００５】
また、特許文献２の街灯監視システムは、モジュールから街灯切れ情報と共に街灯切れでない情報がネットワークシステムを介して管理機関装置に送信されるので、多数のモジュールが存在すると、ネットワークシステムでのトラフィック量が増大するという欠点を有する。
【０００６】
本発明は、ネットワークのトラフィック量が増大することなく、照明負荷の異常状態などの特殊データをリアルタイムに表示させることのできる照明制御監視システムを提供することを目的とする。
【課題を解決するための手段】
【０００７】
請求項１に記載の照明制御監視システムは、照明負荷を調光制御する調光器と；照明負荷の制御および監視を行う操作装置と；調光器から送出された照明負荷の状態データを受信する受信手段、前記状態データを記憶する第１の記憶手段、所定の通信プロトコルに基づいてデータ伝送を行う汎用ネットワークとの間でデータ送受信を行う第１の通信手段および受信手段が受信した前記状態データを第１の記憶手段に記憶させるとともに、前記状態データとプログラムにて予め設定された特殊データとを対比して前記状態データ内に特殊データが含まれているときに当該特殊データを第１の通信手段から汎用ネットワークに能動的に送信させるように制御する第１の制御手段を有し、汎用ネットワークを介して操作装置との間で通信できるように構成された監視装置と；前記汎用ネットワークとの間でデータ送受信を行う第２の通信手段、前記状態データを表示可能な表示手段および第２の通信手段が前記汎用ネットワークから前記特殊データを受信したときに当該特殊データを表示手段に能動的に表示させるように制御する第２の制御手段を有するクライアントと；を具備していることを特徴とする。
【０００８】
本発明および以下の発明において、特に言及しない限り、各構成は以下による。
【０００９】
「特殊データ」は、例えば、不点など、照明負荷の通常動作と異なる状態データとすることができる。
【００１０】
「能動的に」とは、状態データ内に特殊データが含まれていると、特殊データが必然的に送信または受信されることを意味する。
【００１１】
操作装置は、汎用ネットワークを介して監視装置に接続されてもよく、専用線を介して接続されてもよい。操作装置においても、特殊データを能動的に受信して表示させることができる。
【００１２】
本発明によれば、例えば照明負荷の動作が異常状態となって、監視装置の第１の記憶手段に記憶される状態データ内に特殊データが含まれると、当該特殊データは、監視装置から汎用ネットワークに能動的に送信され、クライアントで能動的に受信されて表示される。
【００１３】
請求項２に記載の照明制御監視システムは、請求項１記載の照明制御監視システムにおいて、監視装置は、プログラムを格納する第２の記憶手段を有し、操作装置およびクライアントより前記特殊データを汎用ネットワークに能動的に送信させるように制御する専用のプログラムがダウンロードされ、当該プログラムを第２の記憶手段に記憶することを特徴とする。
【００１４】
本発明によれば、照明負荷の異常状態などの特殊データおよび当該特殊データに対する追加または削除は、専用のプログラムにて設定され、操作装置またはクライアントから監視装置の第２の記憶手段に記憶される。
【発明の効果】
【００１５】
請求項１の発明によれば、照明負荷の状態データ内の特殊データは、監視装置から汎用ネットワークに能動的に送信され、クライアントで汎用ネットワークから能動的に受信されて表示されるので、照明負荷の異常状態をリアルタイムに把握することができ、この結果、照明負荷の異常状態に迅速に対応することができる。また、状態データ内の特殊データのみが汎用ネットワークに送信されてトラフィック量の増大が抑制されるので、汎用ネットワークでの通信速度の低下を抑制することができる。
【００１６】
請求項２の発明によれば、照明負荷の異常状態などの特殊データは、専用のプログラムにて設定されるので、特殊データの追加または削除を操作装置またはクライアントから所望に行うことができる。
【発明を実施するための最良の形態】
【００１７】
以下、本発明の一実施の形態について図面を参照して説明する。まず、本発明の第１の実施形態について説明する。
【００１８】
図１乃至図５は、本発明の第１の実施形態を示し、図１は照明制御監視システムのブロック図、図２は調光器のブロック図、図３は操作装置のブロック図、図４は監視装置のブロック図、図５はクライアントのブロック図である。
【００１９】
図１において、照明制御監視システム１は、複数の照明器具２および調光器３、操作装置４、監視装置５およびクライアント６を有して構成されている。調光器３および監視装置５は、電源盤７に収納されている。また、操作装置４、監視装置５およびクライアント６は、汎用ネットワーク８に接続されている。なお、クライアント６は、汎用ネットワーク８に複数個接続されていてもよい。
【００２０】
照明器具２は、例えば天井面に配設された投光器からなり、照明負荷としてハロゲンランプ（図示しない。）を配設している。調光器３は、ハロゲンランプに接続され、商用交流電源Ｖｓの交流電圧を位相制御してハロゲンランプを調光制御するように構成されている。
【００２１】
調光器３は、図２に示すように、ランプ電源生成部９、状態検出部１０、制御信号伝送インターフェース（Ｉ／Ｆ）部１１、監視信号伝送インターフェース（Ｉ／Ｆ）部１２および制御部１３を有して構成されている。
【００２２】
ランプ電源生成部９は、操作装置４またはクライアント６からの制御信号に応じて商用交流電源Ｖｓの交流電圧を位相制御してハロゲンランプに供給するように構成されている。ハロゲンランプは、位相制御された交流電圧により消費電力量が制御されて調光点灯される。
【００２３】
状態検出部１０は、ハロゲンランプの点消灯状態や調光レベル、ランプ切れ（球切れ）、ちらつき、照明器具２や調光器３での過負荷、過電流、漏電などの状態を検出するように構成されている。ハロゲンランプの点消灯状態や調光レベルは、通常状態の状態データとして検出され、ハロゲンランプのランプ切れ、ちらつき、照明器具２や調光器３での過負荷、過電流および漏電などは、異常状態の状態データとして検出される。
【００２４】
制御信号伝送Ｉ／Ｆ部１１は、信号線１４に接続され、監視装置５を介して操作装置４またはクライアント６から送信された制御信号を受信して制御部１３に送出するように構成されている。また、監視信号伝送Ｉ／Ｆ部１２は、信号線１５に接続され、状態検出部１０が検出した照明器具２および調光器３の状態データを監視装置５に送信するように構成されている。信号線１４および信号線１５は、例えばＲＳ４８５規格等に対応した専用信号線である。
【００２５】
制御部１３は、データ変換や演算などを行うＣＰＵ（中央処理装置）、プログラムが格納されているＲＯＭおよび各種データが格納されているＲＡＭを有して構成されている。そして、制御信号伝送Ｉ／Ｆ部１１から送出された制御信号に応じて、ランプ電源生成部９に商用交流電源Ｖｓから入力した交流電圧を位相制御させ、状態検出部１０が検出した状態データを監視信号伝送Ｉ／Ｆ部１２から信号線１５を介して監視装置５に送出するように制御するなど、各種制御を行うように構成されている。
【００２６】
そして、操作装置４は、調光器３の制御を行うと共に、照明器具２および調光器３の監視を行うように構成されている。操作装置４は、図３に示すように、ネットワーク通信インターフェース（Ｉ／Ｆ）部１６、信号線伝送インターフェース（Ｉ／Ｆ）部１７、表示部１８、操作入力部１９および制御部２０を有して構成されている。
【００２７】
ネットワーク通信Ｉ／Ｆ部１６は、汎用ネットワーク８のケーブル２１に接続され、所定の通信プロトコルにより、汎用ネットワーク８との間でデータ送受信を行うように構成されている。すなわち、汎用ネットワーク８を介して、調光器３を制御する制御信号を送信すると共に、照明器具２および調光器３の状態データを受信する。
【００２８】
また、信号線伝送Ｉ／Ｆ部１７は、例えばＲＳ４８５規格等に対応した専用の信号線２２に接続され、この信号線２２に調光器３を制御する制御信号を送信するように構成されている。そして、信号線２２は、調光器３の制御信号伝送Ｉ／Ｆ部１１に接続される。ここで、図１に示す照明制御監視システム１は、操作装置４から送出される調光器３を制御する制御信号が汎用ネットワーク８を介して送信されるように構成されるので、信号線２２は使用されず、信号線伝送Ｉ／Ｆ部１７は機能しないものである。
【００２９】
表示部１８は、操作装置４の表示画面２３（図１に示す。）に照明器具２および調光器３の状態データを表示させるように構成されている。すなわち、通常状態または異常状態のそれぞれの状態データが表示される。そして、表示部１８の表示動作は、操作入力部１９の手動操作に応じた制御部２０の制御により行われ、プログラムあるいは図示しない記憶部に記憶されているデータテーブルに基づいて、表示画面２３にグラフィック、文字や画像などで表示される。
【００３０】
操作入力部１９は、例えば操作装置４に設けられたキーボードや表示画面２３に表示されたタッチパネルからなり、手動操作により表示画面２３に文字や画像などを表示させるものである。そして、表示画面２３に照明器具２および調光器３の状態データを表示させることができ、表示された状態データを視認して、照明器具２や調光器３の動作状態を変更できる。照明器具２や調光器３の動作状態の変更が入力されると、操作入力部１９は、変更信号を制御部２０に送出するように構成されている。
【００３１】
制御部２０は、データ変換や演算などを行うＣＰＵ（中央処理装置）、プログラムが格納されているＲＯＭおよび各種データが格納されているＲＡＭを有して構成されている。そして、制御部２０は、操作入力部１９から送出された前記変更信号をデータ変換してネットワーク通信Ｉ／Ｆ部１６から汎用ネットワーク８に伝送させるように構成されている。すなわち、操作入力部１９からの変更信号を汎用ネットワーク８にて伝送させる伝送データ（制御データ）に演算して、ネットワーク通信Ｉ／Ｆ部１６から伝送させるように制御する。この制御動作は、ＲＯＭに格納されているプログラムに基づいて行われている。
【００３２】
そして、制御部２０は、ネットワーク通信Ｉ／Ｆ部１６に汎用ネットワーク８から照明器具２および調光器３の状態データを受信させ、受信した状態データをデータ変換して表示部１８に送出する。ここで、制御部２０は、照明器具２および調光器３の状態データが異常状態の状態データ、すなわち予め設定された特殊データであると、表示部１８に対して、表示画面２３に当該特殊データに基づいた表示をするように制御する。すなわち、プログラムに基づいて、照明器具２および調光器３の状態データ内の特殊データが能動的に表示画面２３に表示される。
【００３３】
また、制御部２０は、監視装置５から前記特殊データを汎用ネットワーク８に能動的に送信させるように制御する専用のプログラムをネットワーク通信Ｉ／Ｆ部１６から汎用ネットワーク８に送信させ、当該専用のプログラムを監視装置５にダウンロードさせる。専用のプログラムは、操作入力部１９で設定される。
【００３４】
さらに、制御部２０は、伝送線伝送Ｉ／Ｆ部１７が信号線２２に接続されていないときには、伝送線伝送Ｉ／Ｆ部１７への駆動電源の供給を停止させるように制御している。これにより、動作していない伝送線伝送Ｉ／Ｆ部１７の消費電力が低減され、省電力化が図られている。
【００３５】
そして、監視装置５は、図１に示すように、信号線１４および信号線１５を介して各調光器３に接続されていると共に、汎用ネットワーク８のケーブル２１およびハブ（ＨＵＢ）２４に接続されている。そして、監視装置５は、調光器３から照明器具２および調光器３の状態データを受信して記憶するＷＥＢサーバ機能を有し、汎用ネットワーク８を介して当該状態データを操作装置４およびクライアント６に送信するように構成されている。ここで、汎用ネットワーク８は、例えば所定の通信プロトコルに基づいてデータ伝送を行うイーサーネット（登録商標）に形成されている。また、ハブ２４は、汎用ネットワーク８のケーブル２１を集中して接続する集線装置である。
【００３６】
監視装置５は、図４に示すように、受信手段としての監視信号伝送インターフェース（Ｉ／Ｆ）部２５、制御信号伝送インターフェース（Ｉ／Ｆ）部２６、第１の記憶手段としての記憶部２７、第１の通信手段としての操作装置・ＰＣ通信インターフェース（Ｉ／Ｆ）部２８および第１の制御手段としての制御部２９を有して構成されている。
【００３７】
監視信号伝送Ｉ／Ｆ部２５は、信号線１５により各調光器３の監視信号伝送Ｉ／Ｆ部１２に接続され、調光器３から照明器具２および調光器３の状態データを常時受信して制御部２９に送出するように構成されている。また、制御信号伝送Ｉ／Ｆ部２６は、信号線１４により各調光器３の制御信号伝送Ｉ／Ｆ部１１に接続され、操作装置４またはクライアント６から送信された制御信号を制御信号伝送Ｉ／Ｆ部１１に送信するように構成されている。
【００３８】
記憶部２７は、制御部２９の制御により、監視信号伝送Ｉ／Ｆ部２５が受信した照明器具２および調光器３の状態データを所定期間に亘って記憶するように構成されている。状態データが所定期間に亘って記憶されると、当該状態データが記憶されている記憶部２７の記憶領域には、監視信号伝送Ｉ／Ｆ部２５が受信した直近の新しい前記状態データが記憶される。すなわち、記憶部２７により、監視装置５は、前記状態データを記憶するＷＥＢサーバ機能を有している。
【００３９】
操作装置・ＰＣ通信Ｉ／Ｆ部２８は、汎用ネットワーク８のケーブル２１に接続され、所定の通信プロトコルにより、汎用ネットワーク８との間でデータ送受信を行うように構成されている。すなわち、汎用ネットワーク８から操作装置４またはクライアント６から送信された制御信号を受信すると共に、汎用ネットワーク８に記憶部２７に記憶されている照明器具２および調光器３の状態データを送信する。これによって、監視装置５は、操作装置４およびクライアント６のそれぞれの間で通信可能となっている。
【００４０】
制御部２９は、データ変換や演算などを行うＣＰＵ（中央処理装置）、プログラムが格納されているＲＯＭ（第２の記憶手段）および各種データが格納されているＲＡＭを有して構成されている。そして、操作装置・ＰＣ通信Ｉ／Ｆ部２８が受信した操作装置４またはクライアント６から送信された制御信号を信号線１４にて伝送可能な伝送フォーマットに変換して、制御信号伝送Ｉ／Ｆ部２６から信号線１４に伝送させるように制御する。また、操作装置４またはクライアント６からの要求信号に応じて、照明器具２および調光器３の状態データを記憶部２７から読み出し、汎用ネットワーク８にて伝送可能な伝送フォーマットに変換して、操作装置・ＰＣ通信Ｉ／Ｆ部２８から汎用ネットワーク８に送信させるように制御する。ここで、伝送データは、伝送データの始まりを示すスタート部、制御や監視などを示すモード部、伝送先を示すアドレス部、制御値を示す制御データ部および状態データ値を示す状態データ部などを有して形成されている。
【００４１】
また、制御部２９は、予め設定した特殊データを汎用ネットワーク８に能動的に送信させるように制御する専用のプログラムが操作装置４またはクライアント６から汎用ネットワーク８に送信されると、当該プログラムをダウンロードして第２の記憶手段としてのＲＯＭに記憶させる。
【００４２】
そして、制御部２９は、監視信号伝送Ｉ／Ｆ部２５が受信した照明器具２および調光器３の状態データ内に予め設定された特殊データが含まれていると、操作装置・ＰＣ通信Ｉ／Ｆ部２８から汎用ネットワーク８に当該特殊データを能動的に送信するように構成されている。当該特殊データは、例えば異常状態の状態データであって、例えば、ハロゲンランプのランプ切れ、ちらつきなど、あるいは、照明器具２および調光器３での過負荷、過電流および漏電などである。当該特殊データは、専用のプログラムに予め設定されていて、操作装置４またはクライアント６から要求信号がなくても、前記状態データ内に含まれているときには、必然的に汎用ネットワーク８に送信される。
【００４３】
そして、クライアント６は、パソコン等によって構成されており、汎用ネットワーク８に接続されている。すなちち、汎用ネットワーク８を介して監視装置５に接続され、操作装置４と同様に、照明器具２および調光器３の制御、監視が行える。
【００４４】
クライアント６は、図５に示すように、第２の通信手段としてのネットワーク通信インターフェース（Ｉ／Ｆ）部３０、記憶部３１、表示手段としての表示部３２、操作入力部３３および第２の制御手段としての制御部３４を有して構成されている。
【００４５】
ネットワーク通信Ｉ／Ｆ部３０は、汎用ネットワーク８のケーブル２１に接続され、所定の通信プロトコルにより、汎用ネットワーク８との間でデータ送受信を行うように構成されている。すなわち、汎用ネットワーク８を介して、調光器３を制御する制御信号を送信すると共に、照明器具２および調光器３の状態データを受信する。ネットワーク通信Ｉ／Ｆ部３０は、制御部３４の制御により、汎用ネットワーク８から照明器具２および調光器３の状態データを常時受信するようにしている。
【００４６】
そして、記憶部３１は、ネットワーク通信Ｉ／Ｆ部３０が受信した照明器具２および調光器３の状態データを上書きして記憶するように構成されている。また、表示部３２および操作入力部３３は、図３に示す操作装置４の表示部１８および操作入力部１９とほぼ同様に構成されている。
【００４７】
そして、制御部３４は、データ変換や演算などを行うＣＰＵ（中央処理装置）、プログラムが格納されているＲＯＭおよび各種データが格納されているＲＡＭを有して構成されている。そして、制御部３４は、操作入力部３３の操作に応じたＷＥＢブラウザを用いて監視装置５の制御部２９にアクセスして、監視装置５の記憶部２７に記憶されている照明器具２および調光器３の状態データを汎用ネットワーク８に送信させる。そして、当該状態データをネットワーク通信Ｉ／Ｆ部３０が受信すると、当該状態データを記憶部３１に記憶させるとともに、表示部３２の表示画面３５（図１に示す。）に表示させるように制御する。この制御動作は、ＲＯＭに格納されているプログラムに基づいて行われる。
【００４８】
また、制御部３４は、操作装置４と同様に、操作入力部３３で設定された特殊データを汎用ネットワーク８に能動的に送信させるように制御する専用のプログラムをネットワーク通信Ｉ／Ｆ部３０から汎用ネットワーク８に送信させる。当該専用のプログラムは、監視装置５でダウンロードされる。
【００４９】
そして、監視装置５から汎用ネットワーク８に照明器具２および調光器３の状態データ内の特殊データが送信されていると、当該特殊データは、ネットワーク通信Ｉ／Ｆ部３０により能動的に受信される。このとき、制御部３４は、表示部３２に対して、表示画面３５に当該特殊データに基づいた表示をするように制御する。すなわち、専用のプログラムに基づいて、照明器具２および調光器３の特殊データが能動的に表示部３２の表示画面３５に表示される。
【００５０】
次に、本発明の第１の実施形態の作用について述べる。
【００５１】
電源盤７内の調光器３に商用交流電源Ｖｓが投入されると、調光器３が動作して照明器具２のハロゲンランプが点灯する。そして、調光器３は、操作装置４またはクライアント６から送出された例えばハロゲンランプの調光率（光出力）を制御する制御信号が汎用ネットワーク８および監視装置５を介して制御信号伝送Ｉ／Ｆ部１１に入力される。そして、当該制御信号に応じて、ランプ電源生成部９が商用交流電源Ｖｓの交流電圧の位相制御を行い、位相制御した交流電圧をハロゲンランプに供給する。これにより、ハロゲンランプでの消費電力量が制御され、ハロゲンランプは調光点灯する。
【００５２】
ハロゲンランプの点消灯状態や調光率、あるいはランプ切れなどは、調光器３の状態検出部１０で常時検出されている。そして、制御部１３は、状態検出部１０が検出したハロゲンランプの特性や状態などを状態データとして監視信号伝送Ｉ／Ｆ部１２から信号線１５に送信して監視装置５に送出する。また、状態検出部１０は、照明器具２や調光器３での過負荷、過電流や漏電などの状態も検出する。そして、これらの状態も状態データとして信号線１５を介して監視装置５に送出されている。
【００５３】
調光器３から信号線１５に伝送された状態データは、監視装置５の監視信号伝送Ｉ／Ｆ部２５で受信され、監視装置５の制御部２９の制御により記憶部２７に所定期間に亘って記憶される。すなわち、記憶部２７には、照明器具２および調光器３の状態データが蓄積されている。
【００５４】
そして、クライアント６において、照明器具２および調光器３の動作状態を監視するときは、操作入力部３３の操作により、ＷＥＢブラウザを用いて監視装置５の制御部２９にアクセスする。そして、監視装置５の制御部２９に記憶部２７から前記状態データを読み出させ、操作装置・通信Ｉ／Ｆ部２８から汎用ネットワーク８に送信させる。クライアント６は、汎用ネットワーク８に送信された状態データをネットワーク通信Ｉ／Ｆ部３０で受信して、表示部３２の表示画面３５に表示させる。表示画面３５を視認することにより、照明器具２および調光器３の動作状態の監視が行える。また、操作装置４においても、同様にして、表示部１８の表示画面２３に前記状態データを表示させることができ、表示画面２３を視認することにより、照明器具２および調光器３の監視が行える。
【００５５】
そして、調光器３は、ハロゲンランプが例えばフィラメントが断線して消灯すると、ランプ切れの状態データとして、また、ハロゲンランプがちらつくなど不安定点灯すると、ちらつきの状態データとして監視装置５に送出する。また、照明器具２および調光器３において、過負荷、過電流および漏電などが発生すると、それぞれの状態データとして監視装置５に送出する。
【００５６】
ハロゲンランプのランプ切れやちらつきの各状態データ、あるいは、照明器具２および調光器３での過負荷、過電流および漏電などの各状態データは、照明器具２および調光器３の通常動作と異なる異常動作の状態データとして、すなわち特殊データとしてプログラムに予め設定されている。監視装置５の制御部２９は、監視信号伝送Ｉ／Ｆ部２５が受信した照明器具２および調光器３の状態データとプログラムにて予め設定された特殊データとを対比して状態データ内に前記特殊データが含まれていると判断すると、当該特殊データのみを能動的に（必然的に）操作装置・ＰＣ通信Ｉ／Ｆ部２８から汎用ネットワーク８に送信する。
【００５７】
そして、当該特殊データは、クライアント６のネットワーク通信Ｉ／Ｆ部３０で受信される。クライアント６の制御部３４は、要求信号やＷＥＢブラウザを用いて監視装置５にアクセスしていないにも係らず、ネットワーク通信Ｉ／Ｆ部３０で前記特殊データが受信されると、能動的に表示部３２の表示画面３５に前記特殊データに基づいた表示内容を表示させる。これにより、照明器具２および調光器３の異常状態がリアルタイムに表示部３２の表示画面３５で把握され、当該異常状態に迅速に対応することができる。また、監視装置５から前記特殊データのみが汎用ネットワーク８に送信されるので、汎用ネットワーク８でのトラフィック量の増大が抑制され、通信速度の低下が抑制される。
【００５８】
また、当該特殊データは、操作装置４のネットワーク通信Ｉ／Ｆ部１６で受信される。そして、クライアント６と同様にして、操作装置４の表示部１８の表示画面２３に前記特殊データに基づいた表示内容が表示される。
【００５９】
そして、前記特殊データの追加または削除を行うときは、専用のプログラムにて前記特殊データに新たに追加または削除の特殊データを設定し、当該専用のプログラムを操作装置４またはクライアント６から汎用ネットワーク８に送信して監視装置５にダウンロードさせる。当該専用のプログラムは、監視装置５内のＲＯＭ（第２の記憶手段）に記憶される。このように、特殊データを設定した専用のプログラムを監視装置５にダウンロードさせることができるので、操作装置４およびクライアント６において、特殊データの追加または削除などが所望に行える。
【００６０】
次に、本発明の第２の実施形態について説明する。
【００６１】
図６および図７は、本発明の第２の実施形態を示し、図６は照明制御監視システムのブロック図、図７は監視装置のブロック図である。なお、図１および図４と同一部分には、同一符号を付して説明は省略する。
【００６２】
図６に示す照明制御監視システム３６は、図１に示す照明制御監視システム１において、操作装置４からの制御信号を信号線２２により各調光器３に直接送信するように構成したものである。すなわち、図３に示す操作装置４の信号線伝送Ｉ／Ｆ部１７が信号線２２により図２に示す各調光器３の制御信号伝送Ｉ／Ｆ部１１に接続されている。そして、監視装置３７は、図７に示すように、図４に示す監視装置５において制御信号伝送Ｉ／Ｆ部２６が除去されて構成されている。
【００６３】
図３に示す操作装置４において、操作入力部１９での操作に応じて形成される調光器３を制御する制御信号は、制御部２０の制御により、信号線伝送Ｉ／Ｆ部１７から信号線２２に送信される。そして、ネットワーク通信Ｉ／Ｆ部１６は、汎用ネットワーク８から照明器具２および調光器３の状態データまたは特殊データを受信する。
【００６４】
操作装置４から送信される調光器３を制御する制御信号は、専用の信号線２２を用いて各調光器３に送信されるので、汎用ネットワーク８でのトラフィック量が低減され、汎用ネットワーク８における通信速度の低下が抑制される。
【００６５】
そして、操作装置４は、汎用ネットワーク８から照明器具２および調光器３の予め設定された特殊データを受信することにより、リアルタイムで表示部１８の表示画面２３に照明器具２および調光器３の異常状態が表示される。
【図面の簡単な説明】
【００６６】
【図１】本発明の第１の実施形態を示す照明制御監視システムのブロック図。
【図２】同じく、調光器のブロック図。
【図３】同じく、操作装置のブロック図。
【図４】同じく、監視装置のブロック図。
【図５】同じく、クライアントのブロック図。
【図６】本発明の第２の実施形態を示す照明制御監視システムのブロック図。
【図７】同じく、監視装置のブロック図。
【符号の説明】
【００６７】
１，３６…照明制御監視システム
３…調光器
４…操作装置
５，３７…監視装置
６…クライアント
【図１】
2006155975.tif 000003
【図２】
2006155975.tif 000004
【図３】
2006155975.tif 000005
【図４】
2006155975.tif 000006
【図５】
2006155975.tif 000007
【図６】
2006155975.tif 000008
【図７】
2006155975.tif 000009